(57)【要約】      （修正有）【課題】問題の配信・解答・解説を簡易に実行し、運営者及びユーザの負荷を低減した問題配信システムを提供する。【解決手段】問題配信サーバ３は、ユーザの携帯電話機に対して電子メールを送信するための電子メールアドレス情報と、当該ユーザの登録した講座情報を格納するユーザ情報記憶部と、問題情報を含む講座情報を格納する問題情報記憶部とを備えている。そして、当該問題配信サーバ３の制御部は、特定の講座に関する問題メールを送信する条件を充足する場合に、前記ユーザ情報記憶部より当該講座を登録した電子メールアドレスを取得するとともに、前記問題情報記憶部に記憶された当該講座に関連する問題情報を取得し、取得した電子メールアドレスに基づいて当該問題情報を送信する。そして、前記ユーザの携帯電話機より返信された解答メールを受信する。さらに、解答メールの受信に応じて解説メールを送信する。【選択図】  図１
2006251582.tif 000002
【特許請求の範囲】
【請求項１】
ユーザの携帯電話機と通信網を介して接続され、ユーザに対して問題を配信する問題配信システムであって、
少なくともユーザの携帯電話機に対して電子メールを送信するための電子メールアドレス情報と、当該ユーザの登録した講座情報を格納するユーザ情報記憶部と、
問題情報を含む講座情報及び解説情報を格納する問題情報記憶部と、
特定の講座に関する問題メールを送信する条件を充足する場合に、前記ユーザ情報記憶部より当該講座を登録した電子メールアドレスを取得するとともに、前記問題情報記憶部に記憶された当該講座に関連する問題情報を取得し、取得した電子メールアドレスに基づいて当該問題情報を送信する問題送信手段と、
前記ユーザの携帯電話機より返信された解答メールを受信する解答受信手段と、
前記解答メールの受信に応じて前記問題情報記憶部より解説情報を読み出し、当該解説情報に基づいて解説メールを生成し、送信する解説送信手段とを備えた問題配信システム。
【請求項２】
前記問題送信手段は、メールタイトルに問題を識別する問題識別情報を含ませ、
前記解答受信手段は、受信した解答メールのメールタイトルより前記問題識別情報を取得し、
前記解説送信手段は、取得した問題識別情報により特定される解説情報に基づき解説メールを生成することを特徴とする請求項１記載の問題配信システム。
【請求項３】
前記メールタイトルに含ませる問題識別情報には、講座タイトル、講座識別情報、送信日、ランダムパスワードの少なくとも一以上の情報を含むことを特徴とする請求項２記載の問題配信システム。
【発明の詳細な説明】
【技術分野】
【０００１】
本発明は、ユーザの携帯電話機に対して問題を配信し、解答を受け付けて、解説を送信する問題配信システムに関する。
【背景技術】
【０００２】
最近の携帯電話機は、その高機能化に伴って、単に通話機能のみならず、電子メール通信やインターネットサイトへのアクセスができるようになった。また、携帯電話機を用いて学習するためのシステムも提案されている。その一つが特許文献１に開示されている。この特許文献１に開示された学習システムは、携帯電話機と、携帯電話機の入力部に取着され、学習用の解説とその理解を試すための問題及び問題に対する解答が記録保存された記録媒体とを備え、記録媒体に記録保存された解説及び問題を携帯電話機の入力部から読み込んで該携帯電話機の表示部に表示する手段と、表示された問題に対する回答を入力することによりその正誤を表示する手段を有して構成されている。かかる学習システムにより、電車やバスの僅かの待ち時間を利用して学校の教科をはじめ語学・資格等の学習が可能となるという効果がある。
【特許文献１】特開２００３−６６８２４号公報
【発明の開示】
【発明が解決しようとする課題】
【０００３】
しかしながら、特許文献１に開示された学習システムにおいては、ユーザは記録媒体を携帯電話機に装着しなければならない。従って、学習システムの運営者は各ユーザに記録媒体を配布しなければならず、また問題の数は記録媒体の記憶量に依存し、そして最新の問題を提供することも難しい。ユーザ自体も問題を解くためには携帯電話機のみならず記録媒体を持参し、装着しなければならず煩雑である。
【０００４】
本発明の目的は、かかる問題を解消し、問題の配信・解答・解説を簡易に実行し、運営者及びユーザの負荷を低減した問題配信システムを提供することにある。
【課題を解決するための手段】
【０００５】
本発明にかかる問題配信システムは、ユーザの携帯電話機と通信網を介して接続され、ユーザに対して問題を配信する問題配信システムであって、少なくともユーザの携帯電話機に対して電子メールを送信するための電子メールアドレス情報と、当該ユーザの登録した講座情報を格納するユーザ情報記憶部と、問題情報を含む講座情報及び解説情報を格納する問題情報記憶部と、特定の講座に関する問題メールを送信する条件を充足する場合に、前記ユーザ情報記憶部より当該講座を登録した電子メールアドレスを取得するとともに、前記問題情報記憶部に記憶された当該講座に関連する問題情報を取得し、取得した電子メールアドレスに基づいて当該問題情報を送信する問題送信手段と、前記ユーザの携帯電話機より返信された解答メールを受信する解答受信手段と、前記解答メールの受信に応じて前記問題情報記憶部より解説情報を読み出し、当該解説情報に基づいて解説メールを生成し、送信する解説送信手段とを備えたものである。
【０００６】
ここで、前記問題送信手段は、メールタイトルに問題を識別する問題識別情報を含ませ、前記解答受信手段は、受信した解答メールのメールタイトルより前記問題識別情報を取得し、前記解説送信手段は、取得した問題識別情報により特定される解説情報に基づき解説メールを生成することが望ましい。
【０００７】
また、前記メールタイトルに含ませる問題識別情報には、講座タイトル、講座識別情報、送信日、ランダムパスワードの少なくとも一以上の情報を含むとよい。
【発明の効果】
【０００８】
本発明によれば、問題の配信・解答・解説を簡易に実行し、運営者及びユーザの負荷を低減した問題配信システムを提供することができる。
【発明を実施するための最良の形態】
【０００９】
本発明にかかる問題配信システムの構成について図１を用いて説明する。図に示されるように、広義の問題配信システムは、ユーザの携帯電話機１、通信網２、問題配信サーバ３を備えている。ここで、問題配信サーバ３は、通信網２を介してユーザの携帯電話機１と通信可能に接続されている。
【００１０】
携帯電話機１は、無線を介して公衆電話回線に接続可能な電話をいい、ＰＨＳ（Personal Handyphone System簡易型携帯電話 機）も含む。特に、本発明にかかる携帯電話機１は、電子メールの送受信機能、電子メールの内容を表示するための表示装置を備えている。
【００１１】
通信網２は、携帯電話通信網、インターネット、公衆網等の通信網である。
【００１２】
問題配信サーバ３は、サーバコンピュータにより構成されており、問題の配信処理、解答の受信処理、解説の送信処理等の各種処理を実行する、狭義の問題配信システムとして機能する。この問題配信サーバ３は、図２に示されるように、ＣＰＵ３１、記憶部３２、通信制御部３３、ＲＡＭ３４、データベース３５等のハードウェア構成を備えている。その他、ディスプレイ等の出力装置、キーボード、マウス等の入力装置等を備えているが、図示を省略している。
【００１３】
問題配信サーバ３のＣＰＵ３１は、記憶部３２に予め記憶されたＯＳプログラムやアプリケーションプログラムに基づき、各種の処理を実行する制御部として機能する。具体的には、特定の講座に関する問題メールを送信する条件を充足する場合に、前記ユーザ情報記憶部より当該講座を登録した電子メールアドレスを取得するとともに、前記問題情報記憶部に記憶された当該講座に関連する問題情報を取得し、取得した電子メールアドレスに基づいて当該問題情報を送信する問題送信手段と、前記ユーザの携帯電話機より返信された解答メールを受信する解答受信手段と、前記解答メールの受信に応じて前記問題情報記憶部より解説情報を読み出し、当該解説情報に基づいて解説メールを生成し、送信する解説送信手段等を実現する。
【００１４】
記憶部３２は、ＥＥＰ−ＲＯＭ、ハードディスク等の内部記憶手段やフレキシブルディスクやＣＤ−ＲＯＭ等の外部記憶手段により構成され、ＯＳプログラムやアプリケーションプログラム等が格納される。この例におけるアプリケーションプログラムには、電子メールを送信するためのプログラム、ウェブデータを作成するソフトウェアプログラム（ウェブエンジン）等が含まれる。
【００１５】
通信制御部３３は、通信網２への接続インターフェースや通信制御回路を備えている。この通信制御部３３によって、ユーザの携帯電話機１と電子メールによるデータ通信を実行することができる。
【００１６】
ＲＡＭ３４は、ＣＰＵ３１のワークエリアとして用いられ、例えば、プログラムの実行部分や実行時に使用されるデータ等が一時的に格納される。
【００１７】
データベース３５は、ハードディスクや光ディスク等の記憶手段により構成されている。この例におけるデータベース３５は、ユーザ情報記憶部と、問題情報記憶部を有している。
【００１８】
ユーザ情報記憶部は、ユーザの氏名、住所、電話番号、生年月日、ユーザの携帯電話機に対して電子メールを送信するための電子メールアドレス情報と、ユーザの登録した講座情報等が格納される。ここで、講座情報は、講座識別情報（講座ＩＤ）や講座タイトル等が含まれる。
【００１９】
問題情報記憶部には、講座タイトル、講座識別情報、講座に含まれる問題情報及び問題情報に対応した解説情報が格納される。問題情報に関しては、通常、一つの講座に対して複数の問題が用意されている。
【００２０】
この発明の実施の形態にかかる問題配信サーバ３は、単一のコンピュータでなくとも、複数のコンピュータによって構成することも可能であり、そのハードウェア構成は、図２で示す構成に限定されるものではない。また、ファイアウォールサーバ等のその他のサーバやハードウェア構成を備えていてもよい。
【００２１】
続いて、図３に示すフローチャートを用いて、問題の配信から解説までの一連の処理の流れについて説明する。問題の配信を行なう前処理として、ユーザは端末を用いて所定のホームページのユーザ登録ページにアクセスし、氏名、住所、電話番号、生年月日、メールアドレス等のユーザ情報を入力し、ユーザ登録を完了させ、かつユーザが受講しようとする講座の登録を実行する必要がある。入力されたユーザ情報や講座情報は、ＳＳＬにて暗号化され、問題配信サーバ３に送信される。問題配信サーバ３は、これらの情報をユーザ情報記憶部に格納する。
【００２２】
まず、問題配信サーバ３では、ＣＰＵ１等により実現される制御部により、特定の講座に関する問題メールを送信する条件を充足する場合に、ユーザ情報記憶部より当該講座を登録した電子メールアドレスを取得するとともに、問題情報記憶部に記憶された当該講座に関連する問題情報を取得する（Ｓ１０１）。問題メールの送信条件については、予めプログラム上講座毎に規定しておいてもよく、また、オペレータの指示入力により問題メールの送信を開始するようにしてもよい。
【００２３】
取得した電子メールアドレス情報及び問題情報に基づき、問題メールを作成し、ユーザの携帯電話機１に対して送信する（Ｓ１０２）。このとき、問題メールのメールタイトルを生成する。ここで、当該メールタイトルの生成処理について説明する。まず、制御部は問題情報記憶部に格納された講座タイトル、講座識別情報を読み出す。また、制御部は当該問題メールの送信日を取得する。さらに、制御部はランダムパスワードを発生させる。そして、これらの講座タイトル、講座識別情報、送信日、ランダムパスワードに基づいてメールタイトルを生成する。例えば、講座タイトルが「ことわざ」、講座ＩＤが「ａ０１」、送信日が「０４０２」、ランダムパスワードが「３３」である場合に、それらを繋げて「ことわざａ０１０４０２３３」をメールタイトルとする。このとき、単にそれぞれの情報をつなげるのではなく、所定のアルゴリズムに基づき演算し、メールタイトルとすることも可能である。このメールタイトルは、受信メールを検索する上で用いられる。
【００２４】
尚、問題配信サーバ３が外部とデータ通信を行うときには、通信制御部３３が動作するが、以下の説明では、通信制御部１３の動作及び処理については説明を省略する。また、図３に示すフローチャートでは、１つの携帯電話機のみ表記しているが、通常は、複数の携帯電話機に対して問題メールを送信する。
【００２５】
ユーザの携帯電話機１は、通信網２を介して問題メールを受信し（Ｓ１０３）、メールプログラムにより、問題メールに基づく画面表示を実行する（Ｓ１０４）。問題メールでは、メールタイトル欄に問題配信サーバ３により生成された文字列が表示され、メール本文中に問題を特定する文字列が表示される。問題に関しては、学校において出題される国語、算数、理科、社会、英語等の問題であってもよく、クイズや資格取得のための問題であってもよい。
【００２６】
ユーザは、受信した問題メールに対する返信メールとして解答メールを作成する（Ｓ１０５）。即ち、問題メールを送信した電子メールアドレスに対して返信する解答メールを作成する。解答メールのメールタイトルは、問題メールのメールタイトルが全て含まれるようにする。通常、問題メールのメールタイトルは、解答メールのメールタイトルに含まれるように自動生成される。解答メールのメール本文についてはユーザが出題された問題に対する解答を入力することによって作成する。ユーザが携帯電話機１に対して返信メールの送信要求を入力することにより、解答メールは通信網２を介して問題配信サーバ３に対して送信される（Ｓ１０６）。
【００２７】
問題配信サーバ３は、解答メールを受信し（Ｓ１０７）、ユーザ情報記憶部等の記憶手段に格納する。本発明の実施の形態では、特に、この解答メールに対して採点・評価は実行しないが、採点及び評価を行なうことも可能である。
【００２８】
次に、問題配信サーバ３の制御部は、当該解答メールの振り分け処理を実行する。具体的には、制御部は、解答メールのメールタイトル情報を取得し、かかるメールタイトル情報よりさらに講座タイトル、講座識別情報、送信日、ランダムパスワードを抽出する。そして、講座識別情報及び送信日より送信された問題を特定し、当該問題に対応した解説情報を問題情報記憶部より取得する。これらの講座識別情報及び送信日によって問題を特定できることから、これらの情報は問題識別情報として機能する。そして、取得した解説情報と当該ユーザの電子メールアドレスに基づいて解説メールを自動作成し、ユーザの携帯電話機１に対して送信する（Ｓ１０９）。
【００２９】
ユーザの携帯電話機１は、当該解説メールを受信し（Ｓ１１０）、画面に表示する（Ｓ１１１）。解説メールには、問題の正解情報やアドバイス情報等が含まれる。
【００３０】
以上説明したように、本発明の実施の形態にかかる問題配信システムによれば、携帯電話機のメール機能を利用して問題の配信、解答及び解説の一連の処理を実行しているので、運営者は様々な問題を制限なく自由に配信することができる。また、本発明の実施の形態では、携帯電話機に対して特有の記憶媒体をセットする必要もなく、かつ特有のプログラムをインストールする必要がないため、ユーザにとって使い勝手がよく、負荷が少ない。
【図面の簡単な説明】
【００３１】
【図１】本発明にかかる問題配信システムのシステム構成図である。
【図２】本発明にかかる問題配信システムにおけるデータベースを示す図である。
【図３】本発明にかかる問題配信システムにおける認証情報ＤＢの情報例を示す図である。
【符号の説明】
【００３２】
１  ユーザの携帯電話機
２  通信網
３  問題配信サーバ
３１  ＣＰＵ
３２  記憶部
３３  通信制御部
３４  ＲＡＭ
３５  データベース
【図１】
2006251582.tif 000003
【図２】
2006251582.tif 000004
【図３】
2006251582.tif 000005